(57)【要約】      （修正有）【課題】スライドレール調整装置を提供する。【解決手段】第一レール部品１１０を備え、第一レール部品１１０は第一開口１１８を備え、固定台２００は第一レール部品１１０上に固定し、サポート部品３００は、連接部３１０、サポート部３２０、導引部を備え、連接部３１０は固定台２００に連接し、サポート部３２０は第一レール部品１１０の第一開口１１８に相対し、導引部には導引面を設け、固定台２００又はサポート部品３００には複数の第一係合定位部を設け、調整部品４００は、調整部４１０、連棒４２０を備え、調整部４１０に連接して連動し、連棒４２０には複数の第二係合定位部４２２を設け、第一係合定位部と相互に噛み合い、調整部４１０の操作に基づき移動し、相互に噛み合い、これによりサポート部品３００のサポート部３２０は連接部３１０を支点とし、第一レール部品１１０の第一開口１１８に相対して移動する。【選択図】図１
0003150895.tif 000002
【実用新案登録請求の範囲】
【請求項１】
第一レール部品、固定台、サポート部品、調整部品を含むスライドレール調整装置であって、ひきだしに用いられ、
第一レール部品はひきだしの底部に設けられ、前記第一レール部品は相互に対応して設ける両側壁を備え、両側壁の間は延伸壁により連接し、第一通道を定義し、前記延伸壁は、第一端部を備え、第一端部には第一開口を設け、
固定台は第一レール部品の第一端部の位置に固定され、固定台には、連接面を設け、連接面には複数の第一係合定位部を設け、
サポート部品は、連接部、サポート部、及び導引部を備え、その内の連接部は固定台に連接し、サポート部は第一レール部品の第一開口に相対し、導引部はサポート部に相対し、前記導引部には導引面を設け、導引面は第一導引部及び相対する第二導引部を備え、第二導引部と第一導引部が第一レール部品に対応する垂直距離は異なり、
調整部品は、調整部及び連棒を備え、調整部に連接して連動し、その内の連棒の両端には、複数の第二係合定位部を設け、固定台の連接面に連接し、連接面の第一係合定位部と相互に噛み合い、連棒はサポート部品の導引面に相対し、使用者は調整部を操作可能で、連棒両端の第二係合定位部と固定台の第一係合定位部との間は、調整部の操作に基づき、移動し、及び相互に噛み合い、しかも連棒により、サポート部品の導引部を押さえ、これによりサポート部品のサポート部はその連接部を支点とし、第一レール部品の第一開口に相対して移動し、前記サポート部によりひきだしの底部を押し上げて支えることを特徴とする、スライドレール調整装置。
【請求項２】
前記固定台はさらに、第一固定部、及び第二固定部を備え、前記第一固定部と前記第二固定部との間には、相互に対応する連接部品を設け、連接部品は前記第一レール部品の第一端部の両側壁内側に接触して押さえ、両側壁は相對して停止部を設け、前記停止部と前記連接部品との間には第二通道を形成することを特徴とする、請求項１記載のスライドレール調整装置。
【請求項３】
前記第一係合定位部と前記第二係合定位部は歯状相互噛み合いを呈することを特徴とする、請求項１記載のスライドレール調整装置。
【請求項４】
さらに、スピーディー分解ユニットを備え、前記スピーディー分解ユニットは、台体、弾性部品、及び係合定位部品を備え、台体に連接し、しかも前記弾性部品の弾力による押上げを受け、台体は前記ひきだしの底部に連接し、接続して固定され、その内、台体は凸片を備え、前記第一レール部品には第二開口を設け、前記固定台には弾性部を設け、前記係合定位部品には係合ブロックを設け、係合定位部品の係合ブロックと第一レール部品の第二開口を利用し相互に係合して定位し、及び台体の凸片は前記固定台の弾性部を押さえることを特徴とする、請求項１記載のスライドレール調整装置。
【請求項５】
第一レール部品、固定台、サポート部品、調整部品を含むスライドレール調整装置であって、
第一レール部品には第一開口を設け、
固定台は第一レール部品上に設置して固定され、固定台には、連接面を設け、連接面には、複数の第一係合定位部を設け、
サポート部品は連接部、サポート部、及び導引部を備え、その内の前記連接部は固定台に連接し、前記サポート部は第一レール部品の第一開口に相対し、前記導引部は、サポート部に相対し、導引部には導引面を設け、前記導引面は第一導引部及び相対する第二導引部を備え、第二導引部と第一導引部が第一レール部品に対応する垂直距離は異なり、
調整部品は調整部及び連棒を備え、前記調整部に連接して連動し、その内の連棒の両端には、複数の第二係合定位部を設け、固定台の連接面に連接し、連接面の第一係合定位部と相互に噛み合い、連棒はサポート部品の導引面に相対し、使用者は調整部を操作可能で、連棒両端の第二係合定位部と固定台の第一係合定位部との間は、調整部の操作に基づき、移動し、及び相互に噛み合い、しかも連棒により、サポート部品の導引部を押さえ、これによりサポート部品のサポート部はその連接部を支点とし、第一レール部品の第一開口に相対して移動することを特徴とする、スライドレール調整装置。
【請求項６】
前記固定台はさらに、第一固定部、及び第二固定部を備え、第一固定部と第二固定部との間には、相互に対応する連接部品を設け、第一レール部品はさらに、第一端部及び相互に対応して設ける両側壁を備え、連接部品は前記第一レール部品の第一端部の両側壁内側に接触して押さえ、両側壁は相對して停止部を設け、停止部と連接部品との間には第二通道を形成することを特徴とする、請求項５記載のスライドレール調整装置。
【請求項７】
前記第一係合定位部と第二係合定位部は歯状で相互に噛み合うことを特徴とする、請求項５記載のスライドレール調整装置。
【請求項８】
第一レール部品、固定台、サポート部品、調整部品を含むスライドレール調整装置であって、
第一レール部品には第一開口を設け、
固定台は第一レール部品上に設置して固定され、
サポート部品は連接部、サポート部、及び導引部を備え、その内、前記連接部は固定台に連接し、前記サポート部は第一レール部品の第一開口に相対し、前記導引部は、サポート部に相対し、前記導引部には導引面を設け、前記導引面には、複数の第一係合定位部を設け、導引面は第一導引部及び相対する第二導引部を備え、前記第二導引部と前記第一導引部が第一レール部品に対応する垂直距離は異なり、
調整部品は調整部及び連棒を備え、調整部に連接して連動し、使用者は調整部を操作可能で、連棒には、複数の第二係合定位部を設け、第二係合定位部は、前記サポート部品の第一係合定位部と相互に噛み合い、使用者は調整部品の調整部を操作して連棒を連動することができ、連棒の第二係合定位部とサポート部品の第一係合定位部との間は、調整部の操作に基づき、移動し、及び相互に噛み合い、これによりサポート部品のサポート部はその連接部を支点とし、第一レール部品の第一開口に相対して移動することを特徴とする、スライドレール調整装置。
【請求項９】
前記固定台はさらに、第一固定部、及び第二固定部を備え、第一固定部と第二固定部との間には、相互に対応する連接部品を設け、第一レール部品はさらに、第一端部及び相互に対応して設ける両側壁を備え、連接部品は前記第一レール部品の第一端部の両側壁内側に接触して押さえ、両側壁は相對して停止部を設け、停止部と連接部品との間には第二通道を形成することを特徴とする、請求項８記載のスライドレール調整装置。
【請求項１０】
前記第一係合定位部と前記第二係合定位部は歯状で相互に噛み合うことを特徴とする、請求項８記載のスライドレール調整装置。
【請求項１１】
第一レール部品、固定台、サポート部品、調整部品を含むスライドレール調整装置であって、
第一レール部品は第一開口を設け、
固定台は第一レール部品上に設置して固定され、前記固定台には、連接面を設け、前記連接面には、複数の第一係合定位部を設け、
サポート部品は、連接部、サポート部、及び導引部を備え、その内の連接部は前記第一レール部品に連接し、サポート部は第一レール部品の第一開口に相対し、導引部は、サポート部に相対し、導引部には導引面を設け、導引面は第一導引部及び相対する第二導引部を備え、第二導引部と第一導引部が第一レール部品に対応する垂直距離は異なり、
調整部品は調整部及び連棒を備え、調整部に連接して連動し、その内の連棒の両端には、複数の第二係合定位部を設け、固定台の連接面に連接し、連接面の第一係合定位部と相互に噛み合い、連棒はサポート部品の導引面に相対し、使用者は調整部を操作可能で、連棒両端の第二係合定位部と固定台の第一係合定位部との間は、調整部の操作に基づき、移動し、及び相互に噛み合い、しかも連棒により、サポート部品の導引部を押さえ、これによりサポート部品のサポート部はその連接部を支点とし、第一レール部品の第一開口に相対して移動することを特徴とする、スライドレール調整装置。
【請求項１２】
第一レール部品、固定台、サポート部品、調整部品を含むスライドレール調整装置であって、
第一レール部品には第一開口を設け、
固定台は前記第一レール部品上に設置して固定され、
サポート部品は連接部、サポート部、及び導引部を備え、その内の連接部は前記第一レール部品に連接し、前記サポート部は第一レール部品の第一開口に相対し、前記導引部は、サポート部に相対し、導引部には導引面を設け、前記導引面には、複数の第一係合定位部を設け、導引面は第一導引部及び相対する第二導引部を備え、前記第二導引部と前記第一導引部が第一レール部品に対応する垂直距離は異なり、
調整部品は調整部及び連棒を備え、調整部に連接して連動し、使用者は調整部を操作可能で、連棒には、複数の第二係合定位部を設け、第二係合定位部は前記サポート部品の第一係合定位部と相互に噛み合い、使用者は調整部品の調整部を操作して連棒を連動することができ、連棒の第二係合定位部とサポート部品の第一係合定位部との間は、調整部の操作に基づき、移動し、及び相互に噛み合い、これによりサポート部品のサポート部はその連接部を支点とし、前記第一レール部品の第一開口に相対して移動することを特徴とする、スライドレール調整装置。
【考案の詳細な説明】
【技術分野】
【０００１】
本考案はスライドレール調整装置に係り、特にひきだしのスライドレールに対する高さを調整可能な、ひきだしに用いるスライドレール調整装置に関する。
【背景技術】
【０００２】
一般のひきだしに用いるスライドレール調整装置に関連する従来の技術には、アメリカ合衆国特許第 ７，２２６，１３９号「Ｄｅｖｉｃｅ  ｆｏｒ  ａｄｊｕｓｔｉｎｇ  ｔｈｅ  ｈｅｉｇｈｔ  ｏｆ  ａ  ｄｒａｗｅｒ」、アメリカ合衆国特許第５，４３９，２８３号「Ａｄｊｕｓｔｍｅｎｔ  ｄｅｖｉｃｅ  ｔｏ  ａｌｉｇｎ  ａ  ｄｒａｗｅｒ」、アメリカ合衆国特許第Ｓ５，５８０，１３９号「Ｄｅｖｉｃｅ  ｆｏｒ  ｆｉｘｉｎｇ  ａ  ｄｒａｗｅｒ  ｅｘｔｅｎｓｉｏｎ  ｍｅｃｈａｎｉｓｍ」、アメリカ合衆国特許第６，９１３，３３４号「Ｄｅｖｉｃｅ  ｆｏｒ  ｅｓｔａｂｌｉｓｈｉｎｇ  ａ  ｄｅｔｅｎｔ  ｃｏｎｎｅｃｔｉｏｎ」、アメリカ合衆国特許第６，９４５，６１８号「Ｄｒａｗｅｒ  ｓｌｉｄｅ  ａｄｊｕｓｔｍｅｎｔ  ｍｅｃｈａｎｉｓｍ」、アメリカ合衆国米国公開特許第２００４/００９５０４７号「Ｄｅｖｉｃｅ  ｆｏｒ  ｃｏｎｎｅｃｔｉｎｇ  ａ  ｄｒａｗ-ｏｕｔ  ｒａｉｌ  ｏｆ  ａ  ｄｒａｗｅｒ  ｇｕｉｄｅ  ｓｅｔ  ｔｏ  ａ  ｄｒａｗｅｒ」、アメリカ合衆国公開特許第２００５/０２３１０８３号「Ｕｎｄｅｒｍｏｕｎｔ  ｄｒａｗｅｒ  ｓｌｉｄｅ」がある。
【０００３】
上記した従来の技術が掲示するひきだしに用いるスライドレール調整装置の内、特許文献１、２、３、４、６はすべて、間隔を開けて排列する歯状構造を定位手段とし、歯状構造の間隔距離は固定されているため、無段階式の微調整を行なうことができない。
【０００４】
特許文献５、７では、調整或いは固定には、ドライバー等の工具を使用する必要があるため、操作に時間がかかり、利便性は十分ではない。
【０００５】
本考案は、従来のひきだしに用いるスライドレール調整装置の上記した欠点に鑑みてなされたものである。
【先行技術文献】
【特許文献】
【０００６】
【特許文献１】アメリカ合衆国特許第７，２２６，１３９号公報
【特許文献２】アメリカ合衆国特許第５，４３９，２８３号公報
【特許文献３】アメリカ合衆国特許第５，５８０，１３９号公報
【特許文献４】アメリカ合衆国特許第６，９１３，３３４号公報
【特許文献５】アメリカ合衆国特許第６，９４５，６１８号公報
【特許文献６】アメリカ合衆国特許公開第２００４/００９５０４７号公報
【特許文献７】アメリカ合衆国特許公開第２００５/０２３１０８３号公報
【考案の概要】
【考案が解決しようとする課題】
【０００７】
本考案の目的は、ひきだしに高さの調整機能を持たせ、しかも、調整後は高さの定位機能を備えるひきだしに用いるスライドレール調整装置を提供することにある。
【課題を解決するための手段】
【０００８】
本考案のひきだしに用いるスライドレール調整装置は、第一レール部品、固定台、サポート部品、調整部品を含む。第一レール部品はひきだしの底部に設けられ、第一通道、及び第一通道に対応する第一端部を有し、第一端部には第一開口を設ける。固定台は、第一レール部品の第一端部の位置に固定され、固定台には連接面を設け、連接面には複数の第一係合定位部を設ける。サポート部品は、連接部、サポート部、及び導引部を備え、その内、連接部は固定台に連接し、サポート部は第一レール部品の第一開口に相対し、導引部はサポート部に相対し、導引部には導引面を設け、導引面は第一導引部及び相対する第二導引部を備え、第二導引部と第一導引部が第一レール部品に対応する垂直距離は異なる。
【０００９】
調整部品は、調整部、及び連棒を備え、調整部に連接して連動し、その内、連棒の両端には、複数の第二係合定位部を設け固定台の連接面に連接し、連接面の第一係合定位部と相互に噛み合い、連棒はサポート部品の導引面に相対し、使用者は調整部を操作可能で、連棒両端の第二係合定位部と固定台の第一係合定位部との間は、調整部の操作に基づき、移動し、及び相互に噛み合う。しかも、連棒により、サポート部品の導引部を押さえ、こうしてサポート部品のサポート部は、その連接部を支点とし、第一レール部品の第一開口に相対して移動し、サポート部によりひきだしの底部を押し上げて支える。
【００１０】
さらに、第一レール部品には第一開口を設ける。固定台は第一レール部品上に設置して固定され、固定台には、連接面を設け、連接面には、複数の第一係合定位部を設ける。サポート部品は、連接部、サポート部、及び導引部を備え、その内、連接部は固定台に連接し、サポート部は第一レール部品の第一開口に相対し、導引部は、サポート部に相対する。導引部には導引面を設け、導引面は第一導引部、及び相対する第二導引部を備え、第二導引部と第一導引部が第一レール部品に対応する垂直距離は異なる。
【００１１】
調整部品は、調整部、及び連棒を備え、調整部に連接して連動する。その内、連棒の両端には、複数の第二係合定位部を設け、固定台の連接面に連接し、連接面の第一係合定位部と相互に噛み合い、連棒はサポート部品の導引面に相対し、使用者は調整部を操作可能で、連棒両端の第二係合定位部と固定台の第一係合定位部との間は、調整部の操作に基づき、移動し、及び相互に噛み合い、しかも連棒により、サポート部品の導引部を押さえ、これによりサポート部品のサポート部はその連接部を支点とし、第一レール部品の第一開口に相対して移動する。
【００１２】
また、サポート部品は、連接部、サポート部、及び導引部を備え、その内、連接部は固定台に連接し、サポート部は第一レール部品の第一開口に相対し、導引部は、サポート部に相対し、導引部には導引面を設け、導引面には、複数の第一係合定位部を設置し、導引面は第一導引部及び相対する第二導引部を備え、第二導引部と第一導引部が第一レール部品に対応する垂直距離は異なる。
【００１３】
また、調整部品は、調整部及び連棒を備え、調整部に連接して連動し、その内、使用者は調整部を操作可能で、連棒には、複数の第二係合定位部を設ける。第二係合定位部は、サポート部品の第一係合定位部と相互に噛み合い、使用者は調整部品の調整部を操作して連棒を連動することができ、連棒の第二係合定位部とサポート部品の第一係合定位部との間は、調整部の操作に基づき、移動し、及び相互に噛み合い、これによりサポート部品のサポート部はその連接部を支点とし、第一レール部品の第一開口に相対して移動し、  サポート部品の連接部は第一レール部品に連接することができる。
【考案の効果】
【００１４】
本考案は、ひきだしの高さを微量調整可能で、調整後のひきだしの高さは即時に定位され、しかも無段階式の調整が可能であるという効果を奏する。
【図面の簡単な説明】
【００１５】
【図１】本考案第一実施例によるスライドレール調整装置の分解図である。
【図２】本考案第一実施例によるスライドレール調整装置において、固定台と調整部品を示す分解図である。
【図３】本考案第一実施例によるスライドレール調整装置において、固定台と調整部品を示す組合せ図である。
【図４】本考案第一実施例によるスライドレール調整装置において、調整装置を第一レール部品に設ける状態を示す組合せ図である。
【図５】本考案第一実施例によるスライドレール調整装置において、スライドレール調整装置と第一レール部品の組合せ状態を示す断面図である。
【図６】本考案第一実施例によるスライドレール調整装置において、スライドレール調整装置とひきだしの組合せ状態を示す模式図である。
【図７】本考案第一実施例によるスライドレール調整装置において、スライドレール調整装置とひきだしの組合せ状態を示す模式図である。
【図８】本考案第一実施例によるスライドレール調整装置において、スライドレール調整装置とひきだしの調整状態を示す模式図である。
【図９】本考案第二実施例によるスライドレール調整装置において、固定台と調整部品を示す分解図である。
【図１０】本考案第二実施例によるスライドレール調整装置において、調整装置をスライドレールユニットに設ける状態を示す組合せ図である。
【図１１】本考案第三実施例によるスライドレール調整装置において、ひきだし底部にスピーディー分解ユニットを設ける様子を示す模式図である。
【図１２】本考案第三実施例によるスライドレール調整装置において、調整装置をスライドレールユニットに設ける様子を示す組合せ図である。
【図１３】本考案第三実施例によるスライドレール調整装置において、スライドレール調整装置とひきだしを示す組合せ図である。
【図１４】本考案第四実施例によるスライドレール調整装置において、スライドレール調整装置の局部を示す断面模式図である。
【図１５】本考案第五実施例によるスライドレール調整装置において、スライドレール調整装置の局部を示す断面模式図である。
【考案を実施するための形態】
【００１６】
以下に図面を参照しながら本考案を実施するための最良の形態について詳細に説明する。
【実施例１】
【００１７】
本考案第一実施例によるスライドレール調整装置の分解図である図１に示すように、スライドレールユニット１００は、第一レール部品１１０を備え、その上方には、ひきだし５００を設け(合わせて図６を参照)、第一レール部品１１０によりひきだし５００をスライドさせる。
【００１８】
第一レール部品１１０は、相互に対応して設ける両側壁１１２を備え、両側壁１１２の間は、延伸壁１１３により連接し、第一通道１１４を定義する。延伸壁１１３は、第一端部１１６を備え、第一端部１１６には、第一開口１１８を設ける。
【００１９】
本実施例の調整装置は、さらに固定台２００、サポート部品３００、調整部品４００を備える。固定台２００は、第一固定部２１０及び第二固定部２２０を備え、第一固定部２１０と第二固定部２２０との間には、相互に対応する連接部品２３０を設ける。サポート部品３００は、連接部３１０及びサポート部３２０を備え、連接部３１０は固定台２００の第二固定部２２０に連接し、サポート部３２０は第一レール部品１１０の第一開口１１８に相対する。本実施例中では、サポート部品３００の連接部３１０は、固定台２００の第二固定部２２０に連接し、一体に設ける。
【００２０】
調整部品４００は、サポート部品３００に相対して設け、調整部品４００は、調整部４１０及び連棒４２０を備え、調整部４１０に連接して連動する。連棒４２０の両端には、複数の第二係合定位部４２２を設ける。本実施例中では、複数の第二係合定位部４２２は環状の歯車状を呈する。
【００２１】
本考案第一実施例によるスライドレール調整装置において、固定台２００と調整部品４００を示す分解図である図２に示すように、固定台２００の連接部品２３０には、連接面２３２を設ける。連接面２３２には、複数の第一係合定位部２３４を設ける。本実施例中では、複数の第一係合定位部２３４は歯状を呈する。
【００２２】
サポート部品３００はさらに、導引部３３０を備え、導引部３３０は、サポート部３２０に相対する。導引部３３０には、導引槽３３２を設置し、導引槽３３２の相対する両側には、導引面３３４を設ける。導引面３３４は、第一導引部３３６及び相対する第二導引部３３８を備え、第二導引部３３８と第一導引部３３６とが第一レール部品１１０に対応する垂直距離は異なる。本実施例中では、導引部３３０の導引面３３４には、予定斜度を呈する斜面を設ける。
【００２３】
本考案第一実施例によるスライドレール調整装置において、固定台２００と調整部品４００を示す組合せ図である図３に示すように、調整部品４００は固定台２００の連接面２３２に連接し、連接面２３２の第一係合定位部２３４と相互に噛み合う。調整部４１０はサポート部品３００の導引槽３３２に相対し、連棒４２０はサポート部品３００の導引面３３４に相対する。
【００２４】
使用者は調整部４１０を操作し、連棒４２０両端の第二係合定位部４２２と固定台２００の第一係合定位部２３４間は、調整部４１０の操作に従い、移動し、相互に噛み合い、これによりサポート部品３００のサポート部３２０はその連接部３１０を支点とし、第一レール部品１１０の第一開口１１８に相対して移動することができる(図示なし)。
【００２５】
本考案第一実施例によるスライドレール調整装置において、調整装置を第一レール部品１１０に設ける状態を示す組合せ図である図４に示すように、固定台２００は第一レール部品１１０の第一端部１１６位置に設置して固定される。調整部４１０は局部が第一レール部品１１０の外側に露出し、使用者は便利に操作し調整を行なうことができる。
【００２６】
本考案第一実施例によるスライドレール調整装置において、スライドレール調整装置と第一レール部品１１０の組合せ状態を示す断面図である図５に示すように、固定台２００の連接部品２３０は第一レール部品１１０の両側壁１１２内側に接触して押さえ、両側壁１１２は相對して停止部１１７を設け、停止部１１７と連接部品２３０の間には第二通道１２０を形成し、これにより連棒４２０の両端は進入し、及び移動することができる。サポート部品３００のサポート部３２０は、第一レール部品１１０の第一開口１１８に相対して設ける。
【００２７】
本考案第一実施例によるスライドレール調整装置において、スライドレール調整装置とひきだしの組合せ状態を示す模式図である図６に示すように、スライドレールユニット１００の第一レール部品１１０はひきだし５００に連接し、下方に位置し、これによりひきだし５００は、外へと引き出し或いは押し入れることができる。
【００２８】
本考案第一実施例によるスライドレール調整装置において、スライドレール調整装置とひきだし５００の組合せ状態を示す模式図である図７に示すように、第一レール部品１１０はひきだし５００に連接して固定する。本実施例の第一レール部品１１０は、ひきだし５００の底部に設置され、これによりサポート部品３００のサポート部３２０は、ひきだし５００の底面に相対する。
【００２９】
本考案第一実施例によるスライドレール調整装置において、スライドレール調整装置とひきだし５００の調整状態を示す模式図である図８に示すように、ひきだし５００の高さ、特にひきだし５００の前端を調整する時には、使用者は調整部品４００の調整部４１０を操作し、連棒４２０を連動させる。連棒４２０両端の第二係合定位部４２２と固定台２００の第一係合定位部２３４との間は、調整部４１０の操作に従い、移動し、相互に噛み合い、しかも連棒４２０はサポート部品３００の導引部３３０の導引面３３４に接触して押さえ、これによりサポート部品３００のサポート部３２０はその連接部３１０を支点とし、第一レール部品１１０の第一開口１１８に相対して移動することができる。サポート部３２０により、ひきだし５００の底部を押し上げて支え、これによりひきだし５００の押し上げを受ける区域は、第一レール部品１１０に相対する高さを調整可能となり、しかも、調整後のひきだし５００の高さを定位することができる。
【実施例２】
【００３０】
本考案第二実施例によるスライドレール調整装置において、固定台２００ａと調整部品４００ａを示す分解図である図９に示すように、本実施例のスライドレール調整装置と第一実施例との配置はおよそ相同である。両者の主要な差異は、サポート部品３００ａの導引面３３４ａに、複数の第一係合定位部２３４ａを設ける点である。
【００３１】
相互に対応する調整部品４００ａの連棒４２０ａには、複数の第二係合定位部４２２ａを設け、第二係合定位部４２２ａは、第一係合定位部２３４ａと相互に噛み合い定位される。よって、使用者は調整部品４００ａの調整部４１０ａを操作可能で、連棒４２０ａを連動し、連棒４２０ａの第二係合定位部４２２ａとサポート部品３００ａの第一係合定位部２３４ａとの間は、調整部４１０ａの操作に従い移動し、相互に噛み合う。これにより、サポート部品３００ａのサポート部３２０ａは、その連接部３１０ａを支点として移動する(図１０を合わせて参照)。
【００３２】
本考案第二実施例によるスライドレール調整装置において、調整装置をスライドレールユニット１００に設ける状態を示す組合せ図である図１０に示すように、本実施例において、使用者は調整部品４００ａの調整部４１０ａを操作し、これによりサポート部品３００ａのサポート部３２０ａは、その連接部３１０ａを支点として第一レール部品１１０の第一開口１１８に相対して移動する。
【実施例３】
【００３３】
本考案第三実施例によるスライドレール調整装置において、ひきだし５００底部にスピーディー分解ユニットを設ける様子を示す模式図である図１１に示すように、スピーディー分解ユニット６００は、台体６１０、弾性部品６２０、及び係合定位部品６３０を備え、台体６１０に連接し、しかも弾性部品６２０の弾力作用を受ける。その内の台体６１０はひきだし５００底部に連接して固定し、凸片６１２を備え、係合定位部品６３０は係合ブロック６３２を備える。
【００３４】
本考案第三実施例によるスライドレール調整装置において、調整装置をスライドレールユニット１００に設ける様子を示す組合せ図である図１２に示すように、本実施例の第一レール部品１１０は別に第二開口１１９を設け、係合定位部品６３０の係合ブロック６３２に相対し、固定台２００には弾性体２３６を設け、スピーディー分解ユニット６００の台体６１０の凸片６１２に相対する。
【００３５】
本考案第三実施例によるスライドレール調整装置において、スライドレール調整装置とひきだし５００を示す組合せ図である図１３に示すように、ひきだし５００と第一レール部品１１０間の組合せ、特にひきだし５００の前端は、ひきだし５００上に設置するスピーディー分解ユニット６００により、係合定位部品６３０の係合ブロック６３２と第一レール部品１１０の第二開口１１９を利用し、相互に係合して定位する。
【００３６】
しかも、スピーディー分解ユニット６００の台体６１０の凸片６１２は、固定台２００の弾性部２３６を押さえ、これによりひきだし５００と第一レール部品１１０との間には、スピーディーな分解及び組み立て、及び安定的な固定の機能を備える。
【実施例４】
【００３７】
本考案第四実施例によるスライドレール調整装置において、スライドレール調整装置の局部を示す断面模式図である図１４に示すように、本実施例のスライドレール調整装置と前記第一実施例の配置はおよそ相同である。両者の主要な差異は、サポート部品３００ｂの連接部３１０ｂが第一レール部品１１０に連接する点である。
【実施例５】
【００３８】
本考案第五実施例によるスライドレール調整装置において、スライドレール調整装置の局部を示す断面模式図である図１５に示すように、本実施例のスライドレール調整装置と前記第二実施例の配置はおよそ相同である。両者の主要な差異は、サポート部品３００ｃの連接部３１０ｃが第一レール部品１１０に連接する点である。
【００３９】
本考案実施例中において、サポート部品の連接部は固定台或いは第一レール部品に連接し、何れの場合においても、そのサポート部品はその連接部を支点とし、移動することができる。
【産業上の利用可能性】
【００４０】
本考案は実用新案の登録要件である新規性を備え、従来の同類製品に比べ十分な進歩を有し、実用性が高く、社会のニーズに合致しており、産業上の利用価値は非常に大きい。
【符号の説明】
【００４１】
１００：スライドレールユニット、１１０：第一レール部品、１１２：側壁、１１３：延伸壁、１１４：第一通道、１１６：第一端部、１１７：停止部、１１８：第一開口、１１９：第二開口、１２０：第二通道、２００：固定台、２１０：第一固定部、２２０：第二固定部、２３０：連接部品、２３２：連接面、２３４：第一係合定位部、２３６：弾性部、３００：サポート部品、３１０：連接部、３２０：サポート部、３３０：導引部、３３２：導引槽、３３４：導引面、３３６：第一導引部、３３８：第二導引部、４００：調整部品、４１０：調整部、４２０：連棒、４２２：第二係合定位部、５００：ひきだし、６００：スピーディー分解ユニット、６１０：台体、６２０：弾性部品、６３０：係合定位部品、６３２：係合ブロック、２００ａ：固定台、２３４ａ：第一係合定位部、３００ａ：サポート部品、３１０ａ：連接部、３２０ａ：サポート部、３３４ａ：導引面、４００ａ：調整部品、４１０ａ：調整部、４２０ａ：連棒、４２２ａ：第二係合定位部、３００ｂ：サポート部品、３１０ｂ：連接部、３００ｃ：サポート部品、３１０ｃ：連接部。
【図１】
0003150895.tif 000003
【図２】
0003150895.tif 000004
【図３】
0003150895.tif 000005
【図４】
0003150895.tif 000006
【図５】
0003150895.tif 000007
【図６】
0003150895.tif 000008
【図７】
0003150895.tif 000009
【図８】
0003150895.tif 000010
【図９】
0003150895.tif 000011
【図１０】
0003150895.tif 000012
【図１１】
0003150895.tif 000013
【図１２】
0003150895.tif 000014
【図１３】
0003150895.tif 000015
【図１４】
0003150895.tif 000016
【図１５】
0003150895.tif 000017